Podtech/llm-jp-corpus-v4-ja_patent huggingface dataset:
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  プリンタおよびネットワーク出版物の出版者に接続されているネットワークにおいて、
ユーザに出版物を宛てるステップと、
個人鍵を使用して出版物に署名するステップと、
プリンタに出版物を送信するステップと、
個人鍵シグナチャを検証することによって、出版物がプリンタで印刷されてよいことを確認するステップと、
を含む、プリンタでの出版物の印刷を許可するためのネットワーク出版許可プロトコル。
【請求項２】  ネットワークに接続されている第１サーバのデータベースにレコードを作製することによって、ユーザをプリンタに登録する追加のステップと、
を含む、請求項１に記載されるネットワーク出版許可プロトコル。
【請求項３】  出版者を第１サーバに登録する追加のステップと、
を含む、請求項２に記載されるネットワーク出版許可プロトコル。
【請求項４】  第１サーバが、出版者の公開鍵を保持する、請求項３に記載されるネットワーク出版許可プロトコル。
【請求項５】  第１サーバのデータベースにレコードを作成することによって出版者の出版物にユーザを署名する（ｓｕｂｓｃｒｉｂｉｎｇ）追加のステップと、
を含む、請求項４に記載されるネットワーク出版許可プロトコル。
【請求項６】  第１サーバが、ユーザのエイリアスアイデンテティの詳細を保持する、請求項５に記載されるネットワーク出版許可プロトコル。
【請求項７】  第１サーバが、ユーザを出版物に署名する（ｓｕｂｓｃｒｉｂｉｎｇ）する目的で、出版者のアイデンテティおよびユーザのエイリアスアイデンテティの詳細を含む購読レコードを保持する、請求項６に記載されるネットワーク出版許可プロトコル。
【請求項８】  プリンタで確認を実行する追加のステップと、
を含む、請求項５に記載されるネットワーク出版許可プロトコル。
【請求項９】  購読を確認するために第１サーバにアクセスすることによって、出版者がプリンタに出版物を印刷することを許可されていることを確認することによって確認を達成する追加のステップと、
を含む、請求項８に記載されるネットワーク出版許可プロトコル。
【請求項１０】  第１サーバから得られる、出版者の公開鍵を使用してプリンタで出版者のシグナチャを検証する追加のステップと、
を含む、請求項９に記載されるネットワーク出版許可プロトコル。
【請求項１１】  第１サーバにアクセスすることによって、プリンタがユーザに関して登録されていることをプリンタで検証する追加のステップと、
を含む、請求項９に記載されるネットワーク出版許可プロトコル。
【請求項１２】  第１サーバで確認を実行する追加のステップと、
を含む、請求項５に記載されるネットワーク出版許可プロトコル。
【請求項１３】  購読を確認することによって、出版者がプリンタに出版物を印刷することを許可されていることをチェックすることによって確認を達成する追加のステップと、
を含む、請求項１２に記載されるネットワーク出版許可プロトコル。
【請求項１４】  出版者の公開シグナチャ鍵を使用して出版者のシグナチャを検証する追加のステップと、
を含む、請求項１３に記載されるネットワーク出版許可プロトコル。
【請求項１５】  プリンタがユーザに関して登録されていることを検証する追加のステップと、
を含む、請求項１３に記載されるネットワーク出版許可プロトコル。
【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  コンピュータソフトウェアに関する情報を含み、コンピュータソフトウェアに関する少なくとも１個の対話エレメントを表すコード化データを含むインタフェース面と、
インタフェース面に対して作動可能な位置に配された場合に、少なくとも１個の対話エレメントを表す表示データを検知し、インタフェース面に対する検知装置の移動を表す移動データを生成する検知装置とを介して、ユーザとコンピュータシステム内で作動するコンピュータソフトウェアとの対話を可能にする方法であって、
コンピュータシステムにおいて、該方法が、
（ａ）検知装置から表示データを受信するステップと、
（ｂ）検知装置から移動データを受信するステップと、
（ｃ）表示データから少なくとも１個の対話エレメントを識別するステップと、
（ｄ）移動データに少なくとも部分的に依存して、かつ対話エレメントに関連付けられた命令に従ってコンピュータソフトウェアを作動させるステップとを備える方法。
【請求項２】  ユーザとコンピュータシステム内で作動するコンピュータソフトウェアとの対話を可能にする方法であって、
コンピュータソフトウェアに関する情報と、同コンピュータソフトウェアに関する少なくとも１個の対話エレメントを表すコード化データとを含むインタフェース面を提供するステップと、
コンピュータシステム内において、
（ａ）検知装置から表示データを受信するステップであって、表示データは少なくとも１個の対話エレメントと検知装置によって生成された移動データとを表し、移動データはインタフェースシステムに対する検知装置の移動を表し、表示データは検知装置がインタフェース面に対して作動可能な位置に配された場合に検知されることと、
（ｂ）検知装置から移動データを受信するステップと、
（ｃ）表示データから少なくとも１個の対話エレメントを識別するステップと、
（ｄ）移動データに少なくとも部分的に依存して、かつ対話エレメントに関連付けられた命令に従ってコンピュータソフトウェアを作動させるステップとを備える方法。
【請求項３】  請求項１または２に記載の方法であって、対話エレメントがコンピュータソフトウェアに関するハイパーリンクエレメントであり、該方法はコンピュータシステムにおいて、ハイパーリンクエレメントに関連した操作を実行するステップを含む方法。
【請求項４】  請求項１または２に記載の方法であって、対話エレメントが、コンピュータソフトウェアに関するチェックボックスフィールドであり、該方法が、コンピュータシステムにおいて、ユーザが手描きのマークを入力したことを検知装置によって識別するステップと、コンピュータシステムにおいて、チェックボックスフィールドに関連付けられた操作を実行するステップとを含む方法。
【請求項５】  請求項１または２に記載の方法であって、対話エレメントが、コンピュータソフトウェアに関するテキストフィールドであり、該方法は、コンピュータシステムにおいて、ユーザが手書きのテキストデータを入力したことを検知装置によって識別するステップと、コンピュータシステムにおいて、テキストフィールドに関連付けられた操作を実行するステップとを含む方法。
【請求項６】  請求項５に記載の方法であって、コンピュータシステムにおいて、手書きのテキストデータをコンピュータテキストに変換するステップを含む方法。
【請求項７】  請求項６に記載の方法であって、コンピュータシステムにおいて、コンピュータテキストをテキストフィールドに関連させるステップを含む方法。
【請求項８】  請求項１または２に記載の方法であって、対話エレメントが、コンピュータソフトウェアに関する署名フィールドであり、該方法は、コンピュータシステムにおいて、ユーザが手書きの署名を入力したことを検知装置によって識別するステップと、コンピュータシステムにおいて、署名フィールドに関連付けられた操作を実行するステップを含む方法。
【請求項９】  請求項８に記載の方法であって、コンピュータシステムにおいて、署名がユーザの署名であることを検証するステップを含む方法。
【請求項１０】  請求項１または２に記載の方法であって、対話エレメントがコンピュータソフトウェアに関する描画フィールドであり、該方法はコンピュータシステムにおいて、ユーザが手描きの図を入力したことを検知装置によって識別するステップと、コンピュータシステムにおいて、描画フィールドに関連付けられた操作を実行するステップとを含む方法。
【請求項１１】  請求項１０に記載の方法であって、コンピュータシステムにおいてハイパーリンクを起動するステップを含む方法。
【請求項１２】  請求項１または２に記載の方法であって、要求に応じてインタフェース面を印刷するステップを含む方法。
【請求項１３】  請求項１２に記載の方法であって、インタフェース面とコード化データとをほぼ同時に基板上に印刷するステップを含む方法。
【請求項１４】  請求項１３に記載の方法であって、コード化データが、赤外線インクで前記面上に印刷される方法。
【請求項１５】  請求項１または２に記載の方法であって、マルチキャスト通信プロトコルとポイントキャスト通信プロトコルとの混合物を用いて、複数個のインタフェース面を分配するステップを含む方法。
【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】
情報の記録に関連して使用されることを意図され、複数の異なる情報選択肢がある表面を備えた製品であって、
前記各情報選択肢が、それに関連付けられたコードエリアを備え、
前記表面が、前記複数のコードエリアに、前記表面上の複数の位置の座標を符号化した二次元の位置コードを備え、
該二次元の位置コードが、記録されるべき情報に関連付けされていないものであると共に、所望の情報選択肢に関連付けられた前記コードエリア内の位置に関して前記位置コードを読むことにより、該所望の情報選択肢の記録を可能にしたものであることを特徴とする製品。
【請求項２】
前記位置コードが、少なくとも１つのコードエリア内における複数の位置の座標を符号化するものであり、これによって、前記少なくとも１つのコードエリア内の任意の位置を読むことにより、これに関連付けられた前記情報選択肢を記録できるようにする請求項１に記載の製品。
【請求項３】
前記位置コードが、前記情報選択肢の少なくとも１つに重ね合わされている請求項１又は２に記載の製品。
【請求項４】
前記位置コードが、前記表面の全域に配されている請求項１〜３の何れか１つに記載の製品。
【請求項５】
前記位置コードが、第１のシンボル並びに基づくものであり、該第１のシンボル並びが、第１の所定数のシンボルを含み、第２の所定数のシンボルが前記第１のシンボル並びから取られたときに、前記第１のシンボル並びにおける該シンボルの位置が確定されることによって特徴付けられる請求項１〜４の何れか１つに記載の製品。
【請求項６】
前記位置コードが、更に、前記第１のシンボル並びと同じ特性を有する第２のシンボル並びに基づくものである請求項５に記載の製品。
【請求項７】
前記表面上で所定サイズを有すると共に前記位置コードを含んでいる任意の表面の一部がそれぞれ位置を定義するという特徴を、前記位置コードが有している請求項１〜６の何れか１つに記載の製品。
【請求項８】
前記位置コードが、少なくとも２つの異なる値を表すシンボルで構成され、
各シンボルが、前記表面に広がるラスターに含まれるラスター点及び少なくとも１つのマーキングを備え、
各シンボルの値が、ラスター点に対する前記マーキングの位置によって示されるものである請求項１〜７の何れか１つに記載の製品。
【請求項９】
前記位置コードが、巨大な位置コードの一部である請求項１〜８の何れか１つに記載の製品。
【請求項１０】
前記位置コードが、光学読み取り可能なものである請求項１〜９の何れか１つに記載の製品。
【請求項１１】
前記製品がシート状に形作られている請求項１〜１０の何れか１つに記載の製品。
【請求項１２】
前記情報選択肢が、書き込み文字により表されている請求項１〜１１の何れか１つに記載の製品。
【請求項１３】
前記表面が、少なくとも１つの書き込みエリアを備え、
前記位置コードが、前記書き込みエリアに重ね合わされると共に、該書き込みエリア内の複数の位置の座標を符号化したものである請求項１〜１２の何れか１つに記載の製品。
【請求項１４】
前記書き込みエリアが、情報選択肢に関連付けられると共に、前記情報選択肢の前記コードエリアの一部として構成されるものである請求項１３に記載の製品。
【請求項１５】
各コードエリア内の前記位置コードが、前記表面のフィールドを特定し、前記位置コードが関連付けられる情報選択肢が、前記フィールドに複写されるものである請求項１〜１４の何れか１つに記載の製品。
【請求項１６】
請求項１〜１５の何れかに記載の製品、及び前記複数の情報選択肢の一つを記録する装置により特徴付けられた、情報を記録するためのシステムであって、
前記装置が、
前記情報選択肢に関連付けられた前記コードエリア内の前記位置コードを読み取るセンサーと、
前記読み取った位置コードに対応する位置を特定するために、前記読み取ったコードを解析するソフトウェアを備えたプロセッサー手段とを備えたシステム。
【請求項１７】
記録されるべき情報選択肢を、前記特定した位置に基づいて特定するソフトウェアを更に備えた請求項１６に記載のシステム。
【請求項１８】
前記表面上の各コードエリアに対応する情報選択肢を格納するメモリ構造を更に備えた請求項１６又は１７に記載のシステム。
【請求項１９】
情報を記録する製品を製造するための方法であって、
二次元の位置コードを備えた表面を生成するステップであって、該コードが、前記表面上の複数の位置の座標を符号化したものと、
前記表面上に、前記位置コードに関連付けされていない複数の情報選択肢を配置するステップと、
その中における前記位置コードの読み取りが前記情報選択肢を記録することになるコードエリアを、各情報選択肢毎に決定するステップと、
メモリ構造内で、前記コードエリアを前記情報選択肢と関連付けするステップとを備えた方法。
【請求項２０】
請求項１９に記載のステップを実行するソフトウェアを格納したコンピュータ用の記録媒体。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  ディレクトリのインデックスの少なくとも１つのノード、およびユーザが追加ディレクトリ情報を要求できるようにするために少なくとも１つのユーザ対話型要素に対応するディレクトリエントリのリストを含む文書をフォーマットするためのコンピュータシステムと、
文書を印刷するためのプリンタと、
要素と対話し、追加文書での印刷のために、コンピュータシステムからプリンタに送信される追加情報を容易にするために、要求データをコンピュータシステムに伝送するためのセンサと、
を含む、ディレクトリのナビゲーションを可能にするためのシステム。
【請求項２】  追加ディレクトリ情報が、インデックスの少なくとも１つの追加ノードに対応するエントリのリストを含む、請求項１に記載されるシステム。
【請求項３】  要素は、インデックス内の第１ノード、過去のノード、次のノードまたは最後のノードの１つに移動する動作に関連付けられる、請求項２に記載されるシステム。
【請求項４】  追加ディレクトリ情報が、両面ページに印刷される、請求項２に記載されるシステム。
【請求項５】  追加ディレクトリ情報が、ディレクトリ内の追加ノードのリストを含む、請求項１に記載されるシステム。
【請求項６】  要素が、インデックスの親ノード、子供ノードまたはルーツノードの内の１つに移動する動作に関連付けられる、請求項５に記載されるシステム。
【請求項７】  要素が、ディレクトリの検索を容易にするために、検索機能と関連付けられる、請求項１に記載されるシステム。
【請求項８】  センサが文書中の個々のエントリを選択するように適応され、コンピュータシステムが、対応するインデックスノードまたはディレクトリオブジェクトの詳細を印刷のためにプリンタに送信するように配列される、請求項１に記載されるシステム。
【請求項９】  文書が文書のアイデンテティ、および少なくとも１つの対話型要素を示すコーディングされたデータを含む、請求項１に記載されるシステム。
【請求項１０】  コンピュータシステムが、文書を基準にしたセンサの移動に関する移動データを受信し、それが少なくとも１つの要素に関するものとしてセンサの前記移動を解釈するように適応され、文書を基準にして移動されると、コーディングされたデータの少なくともいくらかを使用して前記少なくとも１つの要素に関するデータを感知し、文書を基準にしたそれ自体の移動に関するデータを生成する、請求項９に記載されるシステム。
【請求項１１】  センサが、コーディングされたデータを使用して文書を基準にしたそれ自体の移動を感知する、請求項１０に記載されるシステム。
【請求項１２】  センサが、ある特定のユーザに特定の識別コードを含み、コンピュータシステムが、センサの使用をモニタするために配列される、請求項１に記載されるシステム。
【請求項１３】  センサがマーキングペン先を含む、請求項１に記載されるシステム。
【請求項１４】  文書が、表面画定構造体の表面に印刷され、プリンタがオンデマンドで文書を印刷する、請求項１に記載されるシステム。
【請求項１５】  プリンタが、表面画定構造体上に文書を印刷するのと同時に、コーディングされたデータを印刷するために配列される、請求項１３に記載されるシステム。
【請求項１６】  コーディングされたデータが、可視スペクトル内で実質的には非可視である、請求項１３に記載されるシステム。
【請求項１７】  生成された各文書の検索可能なレコードを保存することを含み、各文書は、そのコーディングされたデータ内に含まれるように、そのアイデンテティを使用することによって検索可能である、請求項１３に記載されるシステム。
【請求項１８】  プリンタが、文書が複数のページを含む場合に文書を結合するための結合手段を含む、請求項１に記載されるシステム。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  第１関係者からの印刷済み出版物をユーザに提供するためのシステムであって、
出版物を表す出版データを記憶するための、出版データが第２関係者についての第１情報を含む出版ソースでと、
ユーザを出版ソースに接続するためのユーザプリンタモジュールであって、ユーザが見るために印刷済み媒体上に印刷済み出版物を複製するために印刷済み出版物を要求するユーザに応える該モジュールと、
ユーザが識別子を指定すると、ユーザに第２情報を表示する第２印刷済み媒体を生成するモジュールが生じる結果となるように、印刷済み媒体に識別子を適用する識別子手段と、
第２関係者により第１関係者に対して行われる支払額を確定するためにモジュールに応える計算手段と、
を含むシステム。
【請求項２】  支払額が、作成される印刷済み出版物の複製数の所定関数である、請求項１に記載されるシステム。
【請求項３】  第２関係者が出版物の中の広告主であり、支払額が出版物により達成される発行部数の所定関数である、請求項２に記載されるシステム。
【請求項４】  第２情報が第２関係者に関連付けられ、支払額が作成される第２印刷済み媒体の数の所定数である、請求項１に記載されるシステム。
【請求項５】  第２関係者が広告主であり、支払額が、その特定の広告に対する成功したヒットに関して増額される、請求項４に記載されるシステム。
【請求項６】  支払額が、第１情報を表示する作成された印刷済み出版物の数、および第２情報を表示する作成された第２印刷済み媒体の数の両方の所定の関数である、請求項１に記載されるシステム。
【請求項７】  第２関係者が、商品および／またはサービスの供給者であり、第１情報または第２情報によって、ユーザがそれらの商品および／またはサービスを所定の購入価格で購入できるようにする、請求項１に記載されるシステム。
【請求項８】  支払額が、ユーザによって実際に購入された商品および／またはサービスの購入価格の所定の関数である、請求項７に記載されるシステム。
【請求項９】  モジュールが、第２関係者の特定の商品および／またはサービスについての広告情報をアクセスするためにユーザによる識別子の指定に応える、請求項１に記載されるシステム。
【請求項１０】  計算手段が支払額を確定するための識別子の指定に応える、請求項９に記載されるシステム。
【請求項１１】  計算手段が、広告主が、広告情報に対して成功したリンクに関してだけ出版者に支払うように、支払額を確定するための識別子の指定だけに応える、請求項１０に記載されるシステム。
【請求項１２】  第１関係者からの印刷された出版物をユーザに提供するためのシステムであって、
出版物を表す電子出版データを記憶するための、出版データが第２関係者についての第１情報を含む出版ソースコンピュータと、
ユーザを出版ソースに接続するためのユーザプリンタモジュールであって、ユーザが見るために印刷済み媒体上に印刷済み出版物を複製するために印刷済み出版物を要求するユーザに応える該モジュールと、
ユーザが識別子を指定すると、ユーザに第２情報を表示する第２印刷済み媒体を生成するモジュールが生じる結果となるように、印刷済み媒体に識別子を適用するための識別子装置と、
第２関係者によって第１関係者に行われる支払額を確定するためにモジュールに応えるアカウントコンピュータと、
を含むシステム。
【請求項１３】  ユーザプリンタモジュールおよび識別子デバイスが、単一ハウジング内に含まれる、請求項１２に記載されるシステム。
【請求項１４】  識別子デバイスが、識別子を、それがプリンタモジュールによって作成されるにつれて媒体の表面に適用する、請求項１３に記載されるシステム。
【請求項１５】  識別子が媒体上に印刷される、請求項１４に記載されるシステム。
【請求項１６】  識別子が、可視スペクトルの中で実質的に光を反射しないインクで印刷される、請求項１５に記載されるシステム。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  ユーザに遠隔地のソースから入手した印刷情報を供給するためのシステムであって、
第２の関係者からの第２の情報と一緒に第１の情報をユーザに表示する第１の印刷媒体を生成するために、前記ソースから前記第１の情報を要求しているユーザに応答して、ユーザに前記ソースをインターフェースするための、第１の関係者がユーザに供給するユーザ・モジュールと、
ユーザが識別子を指定すると、結果として、前記モジュールが、ユーザに第３の情報を表示する第２の印刷媒体を生成するように、前記第１の印刷媒体にある識別子を供給するための識別手段と、
前記第１の関係者に対して、第２の関係者が行う支払いを決定するために、前記モジュールに応答する計算手段とを含むシステム。
【請求項２】  請求項１記載のシステムにおいて、対応するユーザに関連する複数のモジュールを含み、前記計算手段が、第１の情報、第２の情報、および第３の情報のうちの１つを表示する生成印刷媒体の部数に応答するシステム。
【請求項３】  請求項２記載のシステムにおいて、前記計算手段が、第１の情報、第２の情報、および第３の情報のうちの１つを表示する生成印刷媒体の部数に応答するシステム。
【請求項４】  請求項２記載のシステムにおいて、前記第２の関係者からの支払いを受領し、前記支払いを前記第１の関係者に供給するための会計手段を含むシステム。
【請求項５】  請求項４記載のシステムにおいて、前記第２の関係者からの支払いが、所定の期間に対して一定の金額であるシステム。
【請求項６】  請求項１記載のシステムにおいて、前記第２の関係者が、製品および／またはサービスの供給者であって、前記第２の情報または前記第３の情報により、ユーザが、所定の各購入価格でこれらの製品および／またはサービスを購入することができるシステム。
【請求項７】  請求項６記載のシステムにおいて、前記計算手段が、前記支払いを決定するために、ユーザが全額支払った購入代金に応答するシステム。
【請求項８】  請求項７記載のシステムにおいて、前記支払いが、各購入品に対する定額料金、購入する製品および／またはサービスに対する購入価格の一定の割合、購入する製品および／またはサービスの購入価格の割合のうちの１つまたは組合わせであり、前記割合が、特定の製品および／またはサービスにより異なるシステム。
【請求項９】  請求項１記載のシステムにおいて、複数の第２の関係者がいて、その各支払いの金額が、第２の関係者の下記の特徴、すなわち、地理的位置、所与の期間内に全額支払った購入品の数量、およびユーザに関連する相対的地理的位置の１つまたはそれ以上により異なるシステム。
【請求項１０】  請求項１記載のシステムにおいて、前記識別子がタグであるシステム。
【請求項１１】  請求項１０記載のシステムにおいて、前記識別子が、前記各印刷媒体上に間隔を置いて位置する複数のタグであるシステム。
【請求項１２】  請求項１記載のシステムにおいて、前記識別子が、前記第３の情報を入手するために、ユーザが前記モジュールに供給する文字列であるシステム。
【請求項１３】  請求項１２記載のシステムにおいて、前記文字列が、前記モジュールに手動でキー入力される一連の数字であるシステム。
【請求項１４】  請求項１２記載のシステムにおいて、前記文字列が、ユーザが手動で操作するセンサ手段により走査されるシステム。
【請求項１５】  請求項４記載のシステムにおいて、前記会計手段が、前記第２の関係者が支払い可能と計算した支払いが所定の期間内に支払われなかった場合には、機能停止信号を発生し、機能停止信号が発生すると、モジュールが第１または第２の情報を入手できなくなるシステム。
【手続補正２】
【補正対象書類名】図面
【補正対象項目名】図７
【補正方法】変更
【補正の内容】
【図７】
2003500749.tif 000001
【手続補正３】
【補正対象書類名】図面
【補正対象項目名】図１６
【補正方法】変更
【補正の内容】
【図１６】
2003500749.tif 000002
【手続補正４】
【補正対象書類名】図面
【補正対象項目名】図３８
【補正方法】変更
【補正の内容】
【図３８】
2003500749.tif 000003
【手続補正５】
【補正対象書類名】図面
【補正対象項目名】図３８ａ
【補正方法】変更
【補正の内容】
【図３８ａ】
2003500749.tif 000004
【手続補正６】
【補正対象書類名】図面
【補正対象項目名】図４５
【補正方法】変更
【補正の内容】
【図４５】
2003500749.tif 000005
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  以下の工程、即ち、
（ａ）写真をプリントするための命令をプリンタに伝送するステップと、
（ｂ）プリンタを使用して表面上に写真をプリントするステップと、
（ｃ）また写真のアイデンテティおよび表面上の少なくとも１つの基準点を示すコード化されたデータを表面上に印刷し、そこではコード化されたデータが、光センサで読み取ることのできる書式で表面上に印刷されるステップと、
を含む、デジタル写真をプリントする方法。
【請求項２】  写真のアイデンテティが、写真識別コードを発行するサーバによって発行される識別コードによって決定される、請求項１に記載される方法。
【請求項３】  写真のコピーが表面上のゾーンに向かって光センサを向けることによって要求されてよく、それが、光センサに表面上のコード化されたデータを感知させ、メッセージをプリンタに伝送させ、その結果、プリンタに写真のコピーをプリントさせる、請求項１に記載される方法。
【請求項４】  写真のデジタルコピーが、プリントされた写真および元のデジタル写真とは別個にアーカイブされる、請求項１に記載される方法。
【請求項５】  以下の
（ａ）デジタルカメラを使用してデジタル写真を撮影するステップと、
（ｂ）デジタル写真に識別コードを割り当てるステップと、
（ｃ）デジタル写真をデジタルレポジトリに伝送し、デジタル写真を識別コードを参照して記憶するステップと、
（ｄ）プリンタを使用してデジタル写真を表面にプリントするステップと、
（ｅ）また写真に割り当てられた識別コードと表面上の少なくとも１つの基準点を示すコード化されたデータを表面に印刷し、そこではコード化されたデータが、センサによって読み取ることができる書式で表面に印刷されるステップと、
を含む、デジタル写真を撮影、記憶およびプリントする方法。
【請求項６】  デジタルカメラよびプリンタが統合された装置を形成し、デジタル写真を伝送するステップが、統合された装置に、または統合された装置に近接して位置する送信機によって実行され、識別コードを割り当てるステップが、統合された装置から遠いコンピュータ上で実行され、識別コードが、デジタル写真がプリントされる前に、リモートコンピュータから統合装置に伝送される、請求項５に記載される方法。
【請求項７】  デジタルカメラおよびプリンタが統合された装置を形成し、識別コードが統合された装置から遠いコンピュータによって統合された装置に割り当てられ、統合された装置に記憶され、連続写真のために使用され、デジタル写真をデジタル写真レポジトリに伝送するステップが、数多くの写真が撮影され、識別コードを割り当てられ、カメラによって記憶された後に実行され、伝送するステップが、写真をプリントするステップの前または後のどちらかに発生する、請求項５に記載される方法。
【請求項８】  写真識別コードも、将来の参照のために写真を撮影したデジタルカメラに送信される、請求項２に記載される方法。
【請求項９】  光センサが、表面のある特定のゾーンを指定するために使用されるときに、動作を示すデータが光センサからプリンタに送られる、請求項１に記載される方法。
【請求項１０】  表面が、その上に、それぞれが表面上の指定されたゾーンと関連付けられる、ユーザが選択してよい１つまたは複数のオプションを印刷し、ユーザが、関連付けられたゾーン内の表面上で光センサを移動させることによりオプションを選択し、光線センサがユーザの選択を示すデータをプリンタに伝送する、請求項１に記載される方法。
【請求項１１】  ユーザが、表面上に光センサを用いて書き込むことによりテキスト付きの写真を注釈し、光センサの移動を示すデータがプリンタに伝送され、コンピュータテキストに変換される、請求項１に記載される方法。
【請求項１２】  ユーザが、ユーザの署名を、光センサを用いて表面上に書き込むことにより写真に署名し、光センサの移動を示すデータがプリンタに伝送され、それ以降シグナチャがユーザの既知のシグナチャとの比較によって検証される、請求項１に記載される方法。
【請求項１３】  ユーザは、光センサを用いて表面上に描画することによって写真に描画し、光センサの移動を示すデータがプリンタに伝送される、請求項１に記載される方法。
【請求項１４】  ユーザが、表面上のゾーンに光センサを向けることにより、印刷されなければならない１つまたは複数のその他の文書または写真を要求する、請求項１に記載される方法。
【請求項１５】  コード化されたデータが、それ以降、人間の目に実質的に非可視である、請求項１または請求項５に記載される方法。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  センサから受信される第１表示データに応えて、第２インタフェースを第２面に印刷するための可搬型プリンタであって、第１表示データは、第１コード化データからセンサによって感知され、第１インタフェースは第１コード化データを含む第１面に置かれ、
（ａ）（ｉ）第１表示データをセンサから受信し、第１表示データが少なくとも部分的に応答データを示す、
（ｉｉ）第１表示データに基づき第２表示データを生成し、第２表示データが少なくとも部分的に応答データを示す、
（ｉｉｉ）コンピュータシステムに第２表示データを送信する、
ように構成される入力モジュールと、
（ｂ）（ｉ）コンピュータシステムから応答データを受信する、
（ｉｉ）少なくとも部分的に応答データに基づいて第２インタフェースを生成する、
（ｉｉｉ）印刷機構を使用して第２面に第２インタフェースを印刷する、
用に構成される、印刷機構を含む印刷モジュールと、
を含むプリンタ。
【請求項２】  第２インタフェースが第２コード化データを含み、そこでは印刷モジュールが、応答データの少なくとも一部に基づいて第２コード化データを生成するように構成されるコード化データ生成プログラムを含む、請求項１に記載されるプリンタ。
【請求項３】  応答データが、少なくとも１つのアイデンテティを示す第２領域アイデンテティデータを含み、アイデンテティが第２インタフェースの領域と関連付けられ、コード化データ生成プログラムが第２領域アイデンテティデータに基づいて第２コード化データを生成し、第２コード化データがアイデンテティを示す、請求項２に記載されるプリンタ。
【請求項４】  第２インタフェースが、第２コード化データに加えて可視情報を含み、可視情報が少なくとも部分的に応答データに基づく、前記請求項のどれか１つに記載されるプリンタ。
【請求項５】  第２コード化データが、領域の少なくとも１つの基準点も示す、請求項３に記載されるプリンタ。
【請求項６】  コード化データレイアウトに基づいて少なくとも１つの基準点が決定される、請求項５に記載されるプリンタ。
【請求項７】  印刷モジュールが、コード化データレイアウトをコンピュータっステムから受信するように構成される、請求項６に記載されるプリンタ。
【請求項８】  さらに、複数のコード化データレイアウトを記憶するための記憶手段を含み、印刷モジュールが、
コンピュータシステムから、コード化データレイアウトを示すレイアウト選択情報を受信し、
該少なくとも１つの基準点を確定する際に使用するための記憶されたコード化レイアウトの１つを選択するためにレイアウト選択情報を使用する、
ように構成される、請求項６に記載されるプリンタ。
【請求項９】  第１表示データが、第１コード化データからセンサによって感知される場所データを含む、請求項１に記載されるプリンタ。
【請求項１０】  第１表示データが、第１コード化データからのセンサによって感知される第１領域アイデンテティデータを含み、第１領域アイデンテティデータが第１インタフェースの領域に関連つけられるアイデンテティを示し、領域が少なくとも部分的に応答データを示す、請求項１に記載されるプリンタ。
【請求項１１】  第１表示データが、第１コード化データからのセンサによって感知される場所データを含み、場所データが領域内のある場所を示し、領域内の該場所が少なくとも部分的に応答データを示す、請求項１０に記載されるプリンタ。
【請求項１２】  第２コード化データが、少なくとも１つのタグを含み、各タグが領域のアイデンテティを示す、請求項１から３または５から１１のどれか１つに記載されるプリンタ。
【請求項１３】  第２コード化データが複数のタグを含み、コード化データ生成プログラムが、印刷前にそれぞれのタグの位置を確かめるように構成され、それぞれの位置がコード化データレイアウトに基づいて確定される、請求項１２に記載されるプリンタ。
【請求項１４】  コード化データ生成プログラムが、第２コード化データを印刷する前に、コンピュータ装置からコード化データレイアウトを受け取るように構成される、請求項１３に記載されるプリンタ。
【請求項１５】  さらに、複数のコード化データレイアウトを記憶するための記憶手段を含み、コード化データ生成プログラムが、
コンピュータ装置から、コード化データレイアウトを示すレイアウト選択情報を受信し、レイアウト選択情報に基づいて第２コード化データを生成する、
ように構成される、請求項７に記載されるプリンタ。
【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  タイヤビード（４）を受け入れるようになっている２つの円錐形取付け金属リング（３）を備えた独立内側チューブの無いタイヤを取付けるための組立体であって、上記金属リングは、車両のハブ（１）の凹部（１０）に設置される２つの円形横係止リング（２）によって車両のハブ（１）に位置決めされて係止される組立体において、各係止リング（２）は、周方向に弾性であり且つ半径方向に耐圧縮性である補強リング（２０）により補強され且つこの補強リングを被覆している加硫ゴム混合物（２１）で構成されていることを特徴とするタイヤを取付けるための組立体。
【請求項２】  補強リング（２０）の被覆混合物（２１）は少なくとも６ＭＰaの１０％の相対伸び率で割線方向の弾性率を有していることを特徴とする請求項１に記載の組立体。
【請求項３】  補強リング（２０）は隣接コイルを有する環状ばねであり、各コイルは２％未満の圧縮力下でコイルの変形を許容する２ｍｍと８ｍｍとの間の直径の円形横断面を有していることを特徴とする請求項１または２に記載の組立体。
【請求項４】  上記ばねの圧縮強度を高めるために高いショアＡ硬度の加硫ゴム製の連続円形要素（２２）がばね（２０）のコイルに挿入されていることを特徴とする請求項３に記載の組立体。
【請求項５】  プラスッチク材料製の連続円形要素（２２）ばね（２０）のコイルに挿入されており、上記要素（２０）はばね（２０）の弾性を維持するために円が不連続であることを特徴とする請求項３に記載の組立体。
【請求項６】  補強要素（２０）は剛性材料製の円筒形要素の連続であり、上記要素は円筒体の直径より小さい長さのものであり、高いショアＡ硬度のゴム混合物により周方向に相互に接合されていることを特徴とする請求項１または２に記載の組立体。
【請求項７】  タイヤを取り外し、係止リングを取り外す操作を容易にするために、補強リングはコードまたは金属ストラップ（５）を備えており、これにより上記コード（５）に及ぼされる引張り応力によりハブ（１）における凹部（１０）からリングを外すことが可能であることを特徴とする請求項３に記載の組立体。
【請求項８】  ハブにおける各凹部は、表面がハブ（１）の母面上に底辺と回転軸線と平行な方向と１０°と４５°との間である鋭角をなす２つの辺とを有する仮想三角形である子午線断面を有しており、上記２辺は丸い頂点により上記底辺の反対側で接合されていることを特徴とする請求項１に記載の組立体。
【請求項９】  底辺上の丸い頂点により降下されている上記仮想三角形の高さは１０ｍｍと４５ｍｍとの間であることを特徴とする請求項８に記載の組立体。
【請求項１０】  補強リング（２０）の子午線断面はその半径方向外側部分において楕円形であり、その子午線断面の最大半径方向寸法の少なくとも２５％がハブ（１）に形成された凹部（１０）の三角形断面内に位置決めされていることを特徴とする請求項８に記載の組立体。
【請求項１１】  補強リング（２０）の子午線断面はその半径方向内側部分において、母面が回転軸線の方向と１５°と3５°との間の角度をなす少なくとも１つの截頭円錐形部分を有する多角形であることを特徴とする請求項８に記載の組立体。
【請求項１２】  補強リング（２０）の子午線断面はその半径方向外側部分において、母面が回転軸線の方向と１５°と3５°との間の角度をなす少なくとも１つの截頭円錐形部分を有する多角形であることを特徴とする請求項１１に記載の組立体。
【請求項１３】  各金属取付けリング（３）は少なくとも１つの截頭円錐形リム座部（３１）を備えてなり、上記座部（３１）はリムフランジ（３２）により軸方向および半径方向外側に延長されており、上記フランジ（３２）はできるだけ座部（３１）から独立していて、上記座部（３１）に対して取り外し可能であることを特徴とする請求項１に記載の組立体。
【請求項１４】  子午線断面でみて取付けリング（３）の半径方向外側壁部は第１に回転軸線の方向と０°と１６°との間の角度をなす少なくとも１つの截頭円錐形母面（３１０）を備えており、第２に円弧（３３０）または曲線（３２０）により上記母面（３１０）を軸方向外側に延長させており、曲線（３２０）はリムフランジ（３２）の軸方向内側および半径方向外側輪郭を表しており、上記曲線（３２０）は上記截頭円錐形母面との上記曲線の交点と回転軸線から最も遠い上記曲線（３２０）の点とを結ぶ直線分の半径方向外側および軸方向内側に位置決めされていることを特徴とする請求項１３に記載の組立体。
【請求項１５】  上記取付けリング（３）は母面が回転軸線の方向と１５°と３５°との間の角度をなしている少なくとも１つの截頭円錐形部分（３０１）で構成された半径方向内側壁部を有していることを特徴とする請求項１３に記載の組立体。
【請求項１６】  各取付けリングはその軸方向内側部分において、ハブ（１）上の取付け組立体（２、３）用の位置決め／心出し装置を受け入れることを可能にする凹部（３０３）を備えていることを特徴とする請求項１３に記載の組立体。
【請求項１７】  各金属取付けリング（３）がタイヤのビードと一体になっていることを特徴とする請求項１に記載の組立体。
【手続補正書】
【提出日】平成19年5月18日(2007.5.18)
【手続補正１】
【補正対象書類名】明細書
【補正対象項目名】特許請求の範囲
【補正方法】変更
【補正の内容】
【特許請求の範囲】
【請求項１】  縦シームを有する金属容器、特に薄鋼板容器を加工するための圧延機械（１８）であって、フラットな金属プレートから円筒状のボディが曲げ加工され、該ボディの互いに隣接する突合せ縁又はオーバーラップする突合せ縁が畳み継ぎ又は溶接によって互いに不動に結合され、次いで、ディスク状の下部底部及び場合によっては対応する上部底部が円筒状のボディ（＝筒体）に溶接又は畳み継ぎされて、例えば栓付き容器のような閉じられた容器又は例えば蓋付き容器のような上部で開放した容器が形成され、円筒状のボディ（１２）の互いに隣接する突合せ縁又はオーバーラップする突合せ縁が縦畳み継ぎ部もしくは縦溶接シームの領域で、畳み継ぎ後もしくは溶接プロセス後に及び下部底部及び／又は上部底部の取付け前にボディ長さ全体に亘って圧延プロセスにさらされる形式のものにおいて、圧延機械が、連続圧延機械（１８）として構成されており、第１の圧延ローラ（２０）が回転可能に第１の圧延支持部材（２６）内に支承されていてかつ対応する第２の圧延ローラ（２２）が回転可能にかつ駆動可能に外側の圧延フレーム（２８）内に支承されており、ボディ（１２）の内面を加工する上側の圧延支持部材（２６）がいわば"遊動式"に支承されていて、交互に中央又は両外端に係合するロック機構（３０，３２）を備えており、上側の圧延支持部材（２６）が、圧延プロセス中に圧延支持部材の両外面側で内方及び外方旋回可能なロック爪（３２）を介して下側の圧延機械・フレーム（２８）にロック可能であるようにかつ、未圧延の新たなボディ（１２）の積込みプロセス中に及び圧延済みのボディ（１２）の積降しプロセス中に、圧延支持部材の中央領域で、外部から係合可能なロックピン（３０）を介して下側の圧延機械・フレーム（２８）に不動にロック可能であるように構成されていることを特徴とする、圧延機械。
【請求項２】  下側の圧延ローラ（２２）が、圧着装置としての液力ユニット（４４）を用いて垂直方向に移動可能に下側の圧延フレーム（２８）内に配置されていてかつ圧延ローラ・回転駆動装置（４６）を備えている、請求項１記載の圧延機械。
【請求項３】  上側の圧延ローラ（２０）が、圧延ローラ（２０）の側方もしくは手前に、新たなボディ（１２）を、駆動される走行ローラ（３４）によって積込むことのできる積込み位置（Ａ）を有しかつ圧延ローラ（２０）の他方の側もしくは後方に、それと同時に圧延済みのボディ（１２）を、駆動される走行ローラ（３４）によって積降すことのできる積降し位置（Ｂ）を有している、請求項１又は２記載の圧延機械。
【請求項４】  互いに作用を発揮する圧延ローラ（２０，２２）が、連続圧延機械（１８）の中央で上側の圧延支持部材（２６）及び下側の圧延機械・フレーム（２８）に配置されており、ただし上側の圧延支持部材（２６）は少なくとも、該圧延支持部材が上側の圧延ローラ（２０）の前後でそれぞれ少なくとも１つの円筒状のボディ（１２）を受容できるような長さで構成されている、請求項１から３までのいずれか１項記載の圧延機械。
【請求項５】  下側の圧延機械・フレーム（２８）に対する圧延支持部材中央領域での上側の圧延支持部材（２６）のロックが、全体として４つのロックピン（３０）を介して、つまり、上側の圧延ローラ（２０）の支承部に直接隣接して配置された側方外部から係合する各側で２つのロックピン（３０）を介して、行われるようになっており、該ロックピンが、例えば小さな液力シリンダを用いて作動可能である、請求項１から４までのいずれか１項記載の圧延機械。
【請求項６】  下側の圧延機械・フレーム（２８）に対する上側の圧延支持部材（２６）の外側のロックが、側方の内方旋回可能なロック爪（３２）を介して行われるようになっており、該ロック爪（３２）が、有利には液力・駆動装置（４２）を備えている、請求項１から５までのいずれか１項記載の圧延機械。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  コンピュータから文書を印刷する方法であって、
（ａ）コンピュータからプリンタへ文書を印刷するための命令を伝送するステップと、
（ｂ）コンピュータから受け取られた命令に従ってプリンタに文書を印刷するステップと、
（ｃ）文書のアイデンテティおよび文書上の複数の基準点を示すコード化されたデータを文書上に印刷し、そこではコード化されたデータが、文書を基準にした光センサの場所を特定するために、光センサによって読み取ることができる書式の文書上で印刷されるステップと、
を含むコンピュータから文書を印刷する方法。
【請求項２】  文書のアイデンテティが、文書識別コードを発行するサーバによって発行される識別コードによって決定される、請求項１に記載される方法。
【請求項３】  文書のコピーは、文書上のゾーンに向かって光センサを向けることにより要求されてよく、それが光センサに文書上のコード化されたデータを感知させ、メッセージをプリンタに伝送させ、その結果、プリンタに文書のコピーを印刷させる、請求項１に記載される方法。
【請求項４】  印刷プロセスの一部として文書のデジタルコピーがアーカイブされる、請求項１に記載される方法。
【請求項５】  デジタルコピーが、コンピュータおよびプリンタから遠いサーバにアーカイブされる、請求項４に記載される方法。
【請求項６】  文書を基準にして移動する光センサにより文書に対して変更が要求されてよく、光センサの動きが、光センサにより検出される文書上に印刷されるコード化データによって、および／または光センサに関連付けられた加速時計および／または他の移動検出手段によって検出され、光センサの移動を示すデータが、文書のコピーが要求された変更を組み込んで印刷される前にプリンタに伝送される、請求項１に記載される方法。
【請求項７】 光センサが文書のある特定のゾーンを指定するために使用されるときに、動作を実行するための命令が光センサからプリンタに送られる、請求項１に記載される方法。
【請求項８】  動作が、以下の
（ａ）文書のコピーまたは文書の一部を印刷することと、
（ｂ）文書のきれいなコピーまたは文書の一部を印刷することと、
（ｃ）文書についてステータス情報を印刷することと、
の１つである、請求項７に記載される方法。
【請求項９】  文書が、それぞれが文書上の指定されたゾーンに関連付けられているその上にユーザが選択してよい１つまたは複数のオプションを印刷し、ユーザが関連付けられたゾーン内で文書の表面上で光センサを移動することによりオプションを選択肢、光センサがユーザの選択をプリンタに伝送する、請求項１に記載される方法。
【請求項１０】  ユーザが光センサで文書の表面上で描画することにより文書上に描画し、光センサの移動がプリンタに伝送され、文書のアーカイブされたコピーとともに記憶される、請求項６に記載される方法。
【請求項１１】  文書のアーカイブされたコピーが、ユーザが文書上で描画した線を追加した状態、または追加していない状態で複製できる、請求項１０に記載される方法。
【請求項１２】  光センサが、ユーザが文書上で描画すると文書上にマーキングを残すマーキングペン先を有する、請求項１０に記載される方法。
【請求項１３】  光センサが携帯装置である、請求項１０に記載される方法。
【請求項１４】  コード化されたデータが人間の目には実質的に非可視である、請求項１に記載される方法。
【請求項１５】  文書が、複数ページ文書であり、プリンタが自動的にページをいっしょに結合する、請求項１に記載される方法。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  印刷された文書の少なくとも１ページのコピーを提供する方法であって、文書のアイデンティティを示すコード化されたデータ、および文書の少なくとも１つの基準点を示すコード化されたデータを含み、方法が、
コンピュータシステムの中でユーザによって操作されるセンサから表示データを受け取り、前記表示データが文書のアイデンティティおよび文書を基準にしたセンサの位置に関し、センサが、文書を基準にして動作できる位置に配置されるときに、コード化されたデータの少なくともいくらかを使用して表示データを感知するステップと、
コンピュータシステムの中で、および表示データから、文書の少なくとも１ページのコピーに対する要求を特定するステップと、
コンピュータシステムから、少なくとも１ページのコピーの印刷を達成するために少なくとも１台のプリンタに、関連する文書データを伝送するステップと、
を含む方法。
【請求項２】  文書の少なくとも１ページのコピーに対する前記要求が、文書の少なくとも１つのゾーンと関連付けられ、方法が、コンピュータシステムの中で、およびセンサがそれを基準にして位置しているゾーンから、要求を特定することを含む、請求項１に記載される方法。
【請求項３】  コンピュータシステムの中で、文書を基準にしたセンサの移動に関するデータを受け取り、センサがコード化されたデータの少なくともいくらかを使用して文書の移動を感知するステップと、
コンピュータシステムの中で、および少なくとも部分的に前記少なくとも１つのゾーン内にある前記移動から、文書の少なくとも１ページのコピーに対する要求を特定するステップと、
を含む、請求項２に記載される方法。
【請求項４】  印刷された文書の少なくとも１ページのコピーを提供する方法であって、文書は、文書の少なくとも１ページのコピーに対する要求を示すコード化されたデータを含み、
コンピュータシステムの中で、要求に関してユーザによって操作されるセンサからデータを受け取り、センサが、文書に関連して動作できる位置に配置されるときに、コード化されたデータの少なくともいくらかを使用して要求に関するデータを感知するステップと、
コンピュータシステムから、少なくとも１ページのコピーの印刷を達成するために、少なくとも１台のプリンタに、関連する文書データを伝送するステップと、
を含む、方法。
【請求項５】  印刷された文書の少なくとも１ページのコピーを提供する方法であって、該文書が文書の少なくとも１ページのコピーに対する要求を示すコード化されたデータを含み、
コンピュータシステムの中で、要求に関しておよび文書を基準にしたセンサの移動に関してユーザによって操作されるセンサからデータを受け取り、センサが、文書を基準にして移動されるときに、コード化されたデータの少なくともいくらかを使用して要求に関するデータを感知し、文書を基準にしたそれ自体の移動に関するデータを生成するステップと、
コンピュータシステムの中で、要求を指定するとしてセンサの前記移動を解釈するステップと、
少なくとも１ページのコピーの印刷を達成するために、コンピュータシステムから、少なくとも１台のプリンタに関連する文書データを伝送するステップと、
を含む方法。
【請求項６】  印刷された文書の少なくとも１ページのコピーを提供する方法であって、文書が、文書のアイデンティティを示すコード化されたデータを含み、
コンピュータシステムの中で、ユーザのアイデンティティに関して、および文書のアイデンティティに関してセンサからデータを、および文書の少なくとも１ページを受け取り、センサが、ユーザのアイデンティティに関するデータを含み、文書のアイデンティティに関するデータおよびコード化されたデータの少なくともいくらかを使用して文書内の少なくとも１ページを感知するステップと、
コンピュータシステムの中で、ユーザのアイデンティティおよび文書のアイデンティティに関するデータおよび文書内の少なくと１ページから、文書の少なくとも１ページの印刷されたコピーに対する要求を特定するステップと、
少なくとも１ページのコピーの印刷を達成するために、コンピュータシステムから少なくとも１台のプリンタに関連する文書データを伝送するステップと、
含む方法。
【請求項７】  コード化されたデータが、文書の少なくとも１ページのコピーに対する要求も示し、方法が、コンピュータシステムの中で、要求に関するセンサからの表示データを受け取る事を含み、センサがコード化されたデータの少なくともいくらかを使用して表示データを安置する、請求項６に記載される方法。
【請求項８】  コンピュータシステムの中で、センサから文書を基準にしたセンサの移動に関するデータを受け取ることを含み、センサが文書を基準にしたそれ自体の移動に関するデータを生成する、請求項７に記載される方法。
【請求項９】  表面画定手段の表面上に文書を印刷し、文書が印刷されるのと同時に、表面にコード化されたデータを印刷することを含む、請求項１、４、５または６のどれか１つに記載される方法。
【請求項１０】  可視スペクトルの中で実質的に非可視となるようにコード化されたデータを印刷することを含む、請求項９に記載される方法。
【請求項１１】  センサが、位置のアイデンティティをセンサに分け与え、それをある特定のユーザに関連付けられているとして特定し、方法が、コンピュータシステムの中で、前記アイデンティティをモニタすることを含む識別手段を含む、請求項１、４または５のどれかに記載される方法。
【請求項１２】  文書の少なくとも１ページのコピーに対する要求が、文書の一部であるページに関し、方法が書式のコピーを要求するステップを含む、請求項１、４、５または６のどれか１つに記載される方法。
【請求項１３】  少なくとも１ページのコピーに対する要求が、複数ページの印刷を生じさせ、方法がページを結合することを含む、請求項１、４、５、６のどれか１つに記載される方法。